(57)【要約】【解決手段】害獣が通過出来ない網目の大きさとしたフェンスＦの下辺を、設置すべき傾斜面Ａと平行にする。このフェンスＦの下辺から下方に向けて、傾斜面Ａに差し込むための線材３，３を、フェンスＦの幅方向において害獣が通過出来ない間隔で複数本配置する。【効果】フェンスＦの下辺から下方に向けて突出している線材３，３を、傾斜面Ａの土中に突き刺すだけで、フェンスＦの下辺と傾斜面Ａとの間に余分な隙間が生じないように、傾斜面ＡにフェンスＦを容易に設置することができ、害獣Ｂの侵入を防止できる。複数本の線材３，３が傾斜面Ａに突き刺されているので、害獣Ｂがその付近の土を掘ったとしても土中に埋もれていた線材３，３が柵のようにそこに現われ出るから、その付近の孔からの害獣Ｂの侵入を防止できる。【選択図】図３
0003140999.tif 000002
【実用新案登録請求の範囲】
【請求項１】
害獣が通過出来ない網目の大きさとしたフェンス下辺を、設置すべき傾斜面と平行にするとともに、フェンス下辺から下方に向けて、傾斜面に差し込むための線材を突出させたことを特徴とする害獣通行阻止用フェンス。
【請求項２】
傾斜面に差し込むための線材は、フェンスの幅方向において害獣が通過出来ない間隔で複数本配置されていることを特徴とする請求項１記載の害獣通行阻止用フェンス。
【請求項３】
傾斜面に差し込むための複数本の線材の突き出し長さを、順次異ならしめたことを特徴とする請求項２記載の害獣通行阻止用フェンス。
【請求項４】
傾斜面に差し込むための線材は、害獣が通過出来ない網目の大きさとしたフェンスの列方向の線材そのものを延長したものであることを特徴とする請求項１〜３のいずれかに記載の害獣通行阻止用フェンス。
【考案の詳細な説明】
【技術分野】
【０００１】
本考案は、法面などの傾斜面に設置しやすくするために工夫された害獣通行阻止用のフェンスに関するものである。
【背景技術】
【０００２】
害獣の通行を阻止するために設置されるフェンスとして、鉄線（鋼線）を交差させたものが提案され(例えば、特許文献１，２参照)、実際に商品化もされている。
【０００３】
【特許文献１】登録実用新案第３０７２１５３号公報
【０００４】
【特許文献２】特開２００１−３３６３１５号公報
【考案の開示】
【考案が解決しようとする課題】
【０００５】
これらは、フェンスがいずれも方形状で、しかも、フェンスを支柱で支える形式のものであるから、法面など水平でない傾斜面に設置するのが面倒であった。特に、フェンス下辺と傾斜面との間に余分な隙間ができないようにするためには、傾斜面に沿って方形状のフェンスを傾けて設置する必要があり、傾けて設置したフェンスを支柱で支えなければならないから、それだけ設置が面倒であった。本考案は、この欠点を解消することを第一の目的とする。
【０００６】
また、従来のフェンスによれば、フェンス下辺付近の土を掘られると、その付近の孔から害獣に容易に侵入され、田畑を荒らされるなど通行阻止用としての目的を達成することができない。本考案は、この欠点を解消することを第二の目的とする。
【課題を解決するための手段】
【０００７】
第一の目的を達成するために、本考案では、害獣が通過出来ない網目の大きさとしたフェンス下辺を、設置すべき傾斜面と平行にするとともに、フェンス下辺から下方に向けて、傾斜面に差し込むための線材を突出させてある。
フェンスの下辺と傾斜面とが平行になるようにフェンスを傾斜面に設置してやれば、フェンスの下辺と傾斜面との間に余分な隙間が生じないから、害獣の侵入を防止できるのみならず、フェンス下辺から下方に向けて突出している線材を、傾斜面の土中に突き刺すだけで、傾斜面にフェンスを容易に設置することができる。
【０００８】
第二の目的を達成するためには、傾斜面に差し込むための線材を、フェンスの幅方向において害獣が通過出来ない間隔で複数本配置することが望ましい。
この場合には、フェンス下辺から下方に向けて突出している複数本の線材を傾斜面に突き刺すことができるので、害獣がその付近の土を掘ったとしても土中に埋もれていた線材が柵のようにそこに現われ出るから、その付近の孔からの害獣の侵入を防止できる。
【０００９】
傾斜面に差し込むための複数本の線材の突き出し長さを、順次異ならしめておくのが良い。
このようにした場合には、設置すべき傾斜面の傾きが急であろうが緩やかであろうが、異なる傾きに応じて突き出し長さの異なる線材の土中への突き刺し量を変えることにより、多種多様な傾斜面にフェンスを自在に設置することができる。
【００１０】
傾斜面に差し込むための線材は、害獣が通過出来ない網目の大きさとしたフェンスの列方向の線材そのものを延長したものであることが望ましい。
この場合には、フェンス下辺から列方向の線材とは異なる線材を別途突出させなくても、延長された列方向の線材そのものを傾斜面に差し込むための線材として利用できるから、極めて都合が良いのみならず、製造工程も複雑にならない。
【考案の効果】
【００１１】
請求項１記載の考案によれば、フェンスの下辺と傾斜面とが平行になるようにフェンスを傾斜面に設置してやれば、フェンスの下辺と傾斜面との間に余分な隙間が生じないから、害獣の侵入を防止できるのみならず、フェンス下辺から下方に向けて突出している線材を、傾斜面の土中に突き刺すだけで、傾斜面にフェンスを容易に設置することができる。
【００１２】
請求項２記載の考案によれば、フェンス下辺から下方に向けて突出している複数本の線材を傾斜面に突き刺すことができるので、害獣がその付近の土を掘ったとしても土中に埋もれていた線材が棚のようにそこに現われ出るから、その付近の孔からの害獣の侵入を防止できる。
【００１３】
請求項３記載の考案によれば、設置すべき傾斜面の傾きが急であろうが緩やかであろうが、異なる傾きに応じて突き出し長さの異なる線材の土中への突き刺し量を変えることにより、多種多様な傾斜面にフェンスを自在に設置することができる。
【００１４】
請求項４記載の考案によれば、フェンス下辺から列方向の線材とは異なる線材を別途突出させなくても、延長された列方向の線材そのものを傾斜面に差し込むための線材として利用できるから、極めて都合が良いのみならず、製造工程も複雑にならない。
【考案を実施するための最良の形態】
【００１５】
本考案を実施するための最良の形態について、図面を参照しながら詳細に説明する。
本考案によるフェンスＦは、図１〜図３に示すように、列方向の線材１，１と行方向の線材２，２とを交差させ、各交点を溶接により固定した網体で構成されている。線材１，２は通常の鋼線を用いることができ、網目の大きさは猪、鹿、イタチなどの害獣Ｂが通過出来ない大きさとする。猪、鹿、イタチなどの害獣Ｂの大きさに応じて、網目の大きさを適宜変更することができる。また、法面など設置すべき傾斜面Ａの広さに応じて、フェンスＦの大きさを変えることができる。そして、フェンスＦの下辺を、設置すべき傾斜面Ａと平行にするとともに、フェンスＦの下辺から下方に向けて、傾斜面Ａに差し込むための線材３を突出させる。
【００１６】
図３に示すように、フェンスＦの下辺と傾斜面Ａとが平行になるようにこのフェンスＦを傾斜面Ａに設置してやれば、フェンスＦの下辺と傾斜面Ａとの間に余分な隙間が生じないから、害獣Ｂの侵入を防止できるのみならず、フェンスＦの下辺から下方に向けて突出している線材３を、傾斜面Ａの土中に突き刺すだけで、傾斜面ＡにフェンスＦを容易に設置することができる。
【００１７】
フェンスＦの下辺は設置すべき傾斜面Ａと少なくとも平行になっておれば良く、上辺も下辺と平行になっている方が体裁も良い。フェンスＦを構成する多数の線材１，１、２，２の交差角度は自由である。多数の線材１，１、２，２の交差角度は直角でも菱形でも良く、また、その他特殊な形状になるように交差させても良い。ここには、フェンスＦの下辺となる最下位の行方向の線材２とそれより上方に位置する行方向の線材２，２とを、いずれも平行になるように配置し、これら行方向の線材２，２と交差する列方向の線材１，１を平行の鉛直方向に配置した場合が例示されている。
【００１８】
図１、図２に示すように、ここには、傾斜面Ａに差し込むための線材３を、フェンスＦの幅方向において害獣Ｂが通過出来ない間隔で複数本配置した場合が例示されている。  このフェンスＦによれば、フェンスＦの下辺から下方に向けて突出している複数本の線材３，３を傾斜面Ａに突き刺すことができるので、害獣Ｂがその付近の土を掘ったとしても土中に埋もれていた線材３，３が棚のようにそこに現われ出るから、その付近の孔からの害獣Ｂの侵入を防止できる。
【００１９】
図１には、傾斜面Ａに差し込むための複数本の線材３，３の突き出し長さが同じである場合を示し、図２には、この突き出し長さを順次異ならしめた場合を示す。
突き出し長さを順次異ならしめた図２に示すフェンスＦによれば、設置すべき傾斜面Ａの傾きが急であろうが緩やかであろうが、異なる傾きに応じて突き出し長さの異なる線材３，３の土中への突き刺し量を変えることにより、多種多様な傾斜面ＡにフェンスＦを自在に設置することができる。
【００２０】
また、ここには、傾斜面Ａに差し込むための線材３，３を、害獣Ｂが通過出来ない網目の大きさとしたフェンスＦの列方向の線材１，１そのものを延長したものである場合が例示されている。
このフェンスＦによれば、フェンスＦの下辺から列方向の線材１，１とは異なる線材を別途突出させなくても、延長された列方向の線材１，１そのものを傾斜面Ａに差し込むための線材３，３として利用できるから、極めて都合が良いのみならず、製造工程も複雑にならない。
【００２１】
なお、複数本の線材３，３を傾斜面Ａに突き刺すことにより設置されたフェンスＦを、図３に示すように支柱Ｐでさらに支えてやれば、フェンスＦをより強固に設置できるので、より倒れにくくすることができる。
【図面の簡単な説明】
【００２２】
【図１】本考案による害獣通行阻止用フェンスの一例を示す正面図である。
【図２】図１に示す害獣通行阻止用フェンスの別の例を示す正面図である。
【図３】使用状態の一例を示す斜視図である。
【符号の説明】
【００２３】
１…線材、２…線材、Ｆ…フェンス、Ａ…傾斜面、Ｂ…害獣。
【図１】
0003140999.tif 000003
【図２】
0003140999.tif 000004
【図３】
0003140999.tif 000005